(57)【要約】【課題】送信中のコンテンツの送信先を切り替える。【解決手段】コンテンツ送信部１１は、通信端末３Ａから端末切替要求が送信されたら（Ｓ３）、端末情報検索部１２に対し、通信端末３Ａに送信中のコンテンツの送信に関する条件を示す端末検索要求を送信する（Ｓ５）。端末情報検索部は、端末情報記憶装置２０に記憶された端末情報であり且つ当該端末検索要求に示された条件を満たす端末情報を検索し（Ｓ７）、当該端末情報に対応する通信端末を示す端末検索結果をコンテンツ送信部１１に送信する。コンテンツ送信部１１は、送信中のコンテンツの送信先を当該端末検索結果により示された通信端末３Ｂに切り替える（Ｓ１１、Ｓ１７）。【選択図】図２
2013235319.tif 000002
【特許請求の範囲】
【請求項１】
複数の通信端末のいずれにもコンテンツを送信可能なコンテンツ送信装置と、前記各通信端末に関する端末情報が記憶される端末情報記憶装置とを備えるコンテンツ送信システムであって、
前記コンテンツ送信装置は、
前記複数の通信端末のいずれにもコンテンツを送信可能であるとともに、送信中のコンテンツの送信先である通信端末から端末切替要求が送信されたら、当該コンテンツ送信装置の端末情報検索部に対し、前記送信中のコンテンツの送信に関する条件を示す端末検索要求を送信し、当該端末情報検索部から、当該コンテンツの送信先を別の通信端末に切り替える場合の切り替え先の通信端末を示す端末検索結果が送信されたなら、前記送信中のコンテンツの送信先を当該端末検索結果により示された通信端末に切り替えるコンテンツ送信部と、
前記コンテンツ送信部から端末検索要求が送信されたら、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信する端末情報検索部と
を備えることを特徴とするコンテンツ送信システム。
【請求項２】
複数の通信端末のいずれにもコンテンツを送信可能なコンテンツ送信装置と、前記各通信端末に関する端末情報が記憶される端末情報記憶装置とを備えるコンテンツ送信システムであって、
前記コンテンツ送信装置は、
前記複数の通信端末のいずれにもコンテンツを送信可能であるとともに、送信中のコンテンツの送信先である通信端末から端末切替要求が送信されたら、当該コンテンツ送信装置の端末情報検索部に対し、前記送信中のコンテンツの送信に関する条件を示す端末検索要求を送信し、当該端末情報検索部から、当該コンテンツの送信先を別の通信端末に切り替える場合の切り替え先の通信端末を示す端末検索結果が送信され、当該端末検索結果において複数の通信端末が示されていたなら、当該複数の通信端末を示す切替先端末候補リストを作成し、当該切替先端末候補リストを前記送信中のコンテンツの送信先である通信端末に送信し、当該通信端末において当該切替先端末候補リストにより示された複数の通信端末の１つが選択され、当該通信端末を示す端末切替通知が送信されたなら、前記送信中のコンテンツの送信先を当該端末切替通知により示された通信端末に切り替えるコンテンツ送信部と、
前記コンテンツ送信部から端末検索要求が送信されたら、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信する端末情報検索部と
を備えることを特徴とするコンテンツ送信システム。
【請求項３】
前記端末情報は、対応する通信端末に備わったコンテンツの再生能力を示すものであり、
前記端末検索要求により示される条件は、前記送信中のコンテンツの再生に必要な再生能力である必要再生能力を示すものであり、
前記端末情報検索部は、前記端末検索要求に示された必要再生能力以上の再生能力を示す端末情報を検索する
ことを特徴とする請求項１または２記載のコンテンツ送信システム。
【請求項４】
前記端末情報は、対応する通信端末に接続されるアクセス回線の帯域を示すものであり、
前記端末検索要求により示される条件は、前記送信中のコンテンツの送信に必要な帯域を示すものであり、
前記端末情報検索部は、前記端末検索要求に示された帯域未満の帯域を示す端末情報を検索対象から除外する
ことを特徴とする請求項１または２記載のコンテンツ送信システム。
【請求項５】
前記端末情報は、対応する通信端末が使用される場所を示す位置情報を含み、
前記端末検索要求により示される条件は、前記送信中のコンテンツの送信先である通信端末が使用される場所を示す位置情報を含み、
前記端末情報検索部は、前記端末検索要求に含まれた位置情報により示される場所の近くの場所を示す位置情報を含む端末情報を検索する
ことを特徴とする請求項１または２記載のコンテンツ送信システム。
【請求項６】
複数の通信端末のいずれにもコンテンツを送信可能なコンテンツ送信装置と、前記各通信端末に関する端末情報が記憶される端末情報記憶装置とを備えるコンテンツ送信システムの動作方法であって、
前記コンテンツ送信装置のコンテンツ送信部が、前記複数の通信端末のいずれかにコンテンツを配信し、
前記コンテンツ送信部が、当該送信中のコンテンツの送信先である通信端末から端末切替要求が送信されたら、当該コンテンツ送信装置の端末情報検索部に対し、前記送信中のコンテンツの送信に関する条件を示す端末検索要求を送信し、
前記端末情報検索部が、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信し、
前記コンテンツ送信部が、前記送信中のコンテンツの送信先を当該端末検索結果により示された通信端末に切り替える
ことを特徴とするコンテンツ送信システムの動作方法。
【請求項７】
複数の通信端末のいずれにもコンテンツを送信可能なコンテンツ送信装置と、前記各通信端末に関する端末情報が記憶される端末情報記憶装置とを備えるコンテンツ送信システムの動作方法であって、
前記コンテンツ送信装置のコンテンツ送信部が、前記複数の通信端末のいずれかにコンテンツを配信し、
前記コンテンツ送信部が、当該送信中のコンテンツの送信先である通信端末から端末切替要求が送信されたら、当該コンテンツ送信装置の端末情報検索部に対し、前記送信中のコンテンツの送信に関する条件を示す端末検索要求を送信し、
前記端末情報検索部が、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信し、
前記コンテンツ送信部が、当該端末検索結果において示された複数の通信端末を示す切替先端末候補リストを作成し、当該切替先端末候補リストを前記送信中のコンテンツの送信先である通信端末に送信し、
前記コンテンツ送信部が、当該通信端末において当該切替先端末候補リストにより示された複数の通信端末の１つが選択され、当該通信端末を示す端末切替通知が送信されたなら、前記送信中のコンテンツの送信先を当該端末切替通知により示された通信端末に切り替える
ことを特徴とするコンテンツ送信システムの動作方法。
【発明の詳細な説明】
【技術分野】
【０００１】
本発明は、送信中のコンテンツの送信先を切り替えることができるコンテンツ送信システムおよびその動作方法に関するものである。
【背景技術】
【０００２】
近年にあっては、通信端末の高性能化に伴い、ユーザから見て無線や有線といったアクセスネットワークを意識せずに、最適なネットワークを経由してインターネットに接続したり、サービスを享受しながら最適なネットワークにシームレスに切り替えるといったＦＭＣ（Fixed Mobile Convergence  フィックストモバイルコンバージェンス ）サービスの提供が求められている。
【先行技術文献】
【非特許文献】
【０００３】
【非特許文献１】”Ｕｓｉｎｇ  Ａｉｒｐｌａｙ”、［ｏｎｌｉｎｅ］、Apple Inc.、［平成２４年４月２０日検索］、インターネット＜ＵＲＬ：http://support.apple.com/kb/HT4437?viewlocale=ja_JP＞
【発明の概要】
【発明が解決しようとする課題】
【０００４】
このようなサービスを提供するに当たっては、たとえば動画やネットゲームのようなコンテンツであれば、コンテンツの送信中であっても、コンテンツの送信先を別の通信端末に切り替えたい場合がある。この場合、切替先の通信端末を迅速に決定し、コンテンツの送信先を切り替えることが求められる。これにより、コンテンツが実質的には中断なく再生されることとなる。切替先の通信端末を決定するに当たっては、通信端末の備わったコンテンツの再生性能や、通信端末が接続される通信回線の帯域など、通信端末がコンテンツを再生できる条件を考慮しなければならない。
【０００５】
本発明は、上記の課題に鑑みてなされたものであり、その目的とするところは、送信中のコンテンツの送信先を切り替えることができるコンテンツ送信システムおよびその動作方法を提供することにある。
【課題を解決するための手段】
【０００６】
上記の課題を解決するために、第１の本発明は、複数の通信端末のいずれにもコンテンツを送信可能なコンテンツ送信装置と、前記各通信端末に関する端末情報が記憶される端末情報記憶装置とを備えるコンテンツ送信システムであって、前記コンテンツ送信装置は、前記複数の通信端末のいずれにもコンテンツを送信可能であるとともに、送信中のコンテンツの送信先である通信端末から端末切替要求が送信されたら、当該コンテンツ送信装置の端末情報検索部に対し、前記送信中のコンテンツの送信に関する条件を示す端末検索要求を送信し、当該端末情報検索部から、当該コンテンツの送信先を別の通信端末に切り替える場合の切り替え先の通信端末を示す端末検索結果が送信されたなら、前記送信中のコンテンツの送信先を当該端末検索結果により示された通信端末に切り替えるコンテンツ送信部と、前記コンテンツ送信部から端末検索要求が送信されたら、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信する端末情報検索部とを備えることを特徴とするコンテンツ送信システムをもって解決手段とする。
【０００７】
第２の本発明は、複数の通信端末のいずれにもコンテンツを送信可能なコンテンツ送信装置と、前記各通信端末に関する端末情報が記憶される端末情報記憶装置とを備えるコンテンツ送信システムであって、前記コンテンツ送信装置は、前記複数の通信端末のいずれにもコンテンツを送信可能であるとともに、送信中のコンテンツの送信先である通信端末から端末切替要求が送信されたら、当該コンテンツ送信装置の端末情報検索部に対し、前記送信中のコンテンツの送信に関する条件を示す端末検索要求を送信し、当該端末情報検索部から、当該コンテンツの送信先を別の通信端末に切り替える場合の切り替え先の通信端末を示す端末検索結果が送信され、当該端末検索結果において複数の通信端末が示されていたなら、当該複数の通信端末を示す切替先端末候補リストを作成し、当該切替先端末候補リストを前記送信中のコンテンツの送信先である通信端末に送信し、当該通信端末において当該切替先端末候補リストにより示された複数の通信端末の１つが選択され、当該通信端末を示す端末切替通知が送信されたなら、前記送信中のコンテンツの送信先を当該端末切替通知により示された通信端末に切り替えるコンテンツ送信部と、前記コンテンツ送信部から端末検索要求が送信されたら、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信する端末情報検索部とを備えることを特徴とするコンテンツ送信システムをもって解決手段とする。
【０００８】
例えば、前記端末情報は、対応する通信端末に備わったコンテンツの再生能力を示すものであり、前記端末検索要求により示される条件は、前記送信中のコンテンツの再生に必要な再生能力である必要再生能力を示すものであり、前記端末情報検索部は、前記端末検索要求に示された必要再生能力以上の再生能力を示す端末情報を検索する。
【０００９】
例えば、前記端末情報は、対応する通信端末に接続されるアクセス回線の帯域を示すものであり、前記端末検索要求により示される条件は、前記送信中のコンテンツの送信に必要な帯域を示すものであり、前記端末情報検索部は、前記端末検索要求に示された帯域未満の帯域を示す端末情報を検索対象から除外する。
【００１０】
例えば、前記端末情報は、対応する通信端末が使用される場所を示す位置情報を含み、前記端末検索要求により示される条件は、前記送信中のコンテンツの送信先である通信端末が使用される場所を示す位置情報を含み、前記端末情報検索部は、前記端末検索要求に含まれた位置情報により示される場所の近くの場所を示す位置情報を含む端末情報を検索する。
【００１１】
第３の本発明は、複数の通信端末のいずれにもコンテンツを送信可能なコンテンツ送信装置と、前記各通信端末に関する端末情報が記憶される端末情報記憶装置とを備えるコンテンツ送信システムの動作方法であって、前記コンテンツ送信装置のコンテンツ送信部が、前記複数の通信端末のいずれかにコンテンツを配信し、前記コンテンツ送信部が、当該送信中のコンテンツの送信先である通信端末から端末切替要求が送信されたら、当該コンテンツ送信装置の端末情報検索部に対し、前記送信中のコンテンツの送信に関する条件を示す端末検索要求を送信し、前記端末情報検索部が、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信し、前記コンテンツ送信部が、前記送信中のコンテンツの送信先を当該端末検索結果により示された通信端末に切り替えることを特徴とするコンテンツ送信システムの動作方法をもって解決手段とする。
【００１２】
第４の本発明は、複数の通信端末のいずれにもコンテンツを送信可能なコンテンツ送信装置と、前記各通信端末に関する端末情報が記憶される端末情報記憶装置とを備えるコンテンツ送信システムの動作方法であって、前記コンテンツ送信装置のコンテンツ送信部が、前記複数の通信端末のいずれかにコンテンツを配信し、前記コンテンツ送信部が、当該送信中のコンテンツの送信先である通信端末から端末切替要求が送信されたら、当該コンテンツ送信装置の端末情報検索部に対し、前記送信中のコンテンツの送信に関する条件を示す端末検索要求を送信し、前記端末情報検索部が、前記端末情報記憶装置に記憶された端末情報であり且つ当該端末検索要求に示された条件を満たす端末情報を検索し、当該端末情報に対応する通信端末を示す端末検索結果を前記コンテンツ送信部に送信し、前記コンテンツ送信部が、当該端末検索結果において示された複数の通信端末を示す切替先端末候補リストを作成し、当該切替先端末候補リストを前記送信中のコンテンツの送信先である通信端末に送信し、前記コンテンツ送信部が、当該通信端末において当該切替先端末候補リストにより示された複数の通信端末の１つが選択され、当該通信端末を示す端末切替通知が送信されたなら、前記送信中のコンテンツの送信先を当該端末切替通知により示された通信端末に切り替えることを特徴とするコンテンツ送信システムの動作方法をもって解決手段とする。
【発明の効果】
【００１３】
本発明によれば、コンテンツ送信部は、通信端末から端末切替要求が送信されたら、端末情報検索部に対し、通信端末に送信中のコンテンツの送信に関する条件を示す端末検索要求を送信し、端末情報検索部は、端末情報記憶装置に記憶された端末情報であり且つ当該端末検索要求に示された条件を満たす端末情報を検索し、当該端末情報に対応する通信端末を示す端末検索結果をコンテンツ送信部に送信し、コンテンツ送信部は、送信中のコンテンツの送信先を当該端末検索結果により示された通信端末に切り替えるので、送信中のコンテンツの送信先を切り替えることができる。
【図面の簡単な説明】
【００１４】
【図１】本実施の形態に係るコンテンツ送信システムの利用形態および概略構成を示す図である。
【図２】コンテンツ送信システム１の実施例１に関する動作を示すシーケンス図である。
【図３】コンテンツ送信システム１の実施例２に関する動作を示すシーケンス図である。
【発明を実施するための形態】
【００１５】
以下、本発明の実施の形態について図面を参照して説明する。
【００１６】
図１は、本実施の形態に係るコンテンツ送信システムの利用形態および概略構成を示す図である。
【００１７】
コンテンツ送信システム１は、複数の通信端末３Ａ、３Ｂ、…に接続されたアクセス回線４Ａ、４Ｂ、…と通信ネットワークＮとを介して、通信端末３Ａ、３Ｂ、…のいずれにもコンテンツを送信可能なコンテンツ送信装置１０と、各通信端末３Ａ、３Ｂ、…に関する端末情報が記憶され且つコンテンツ送信装置１０に通信可能な端末情報記憶装置２０とを備える。
【００１８】
コンテンツ送信装置１０は、通信端末３Ａ、３Ｂ、…のいずれにもコンテンツを送信可能なコンテンツ送信部１１と、端末情報記憶装置２０から所定の条件を満たす端末情報を検索する端末情報検索部１２とを備える。コンテンツ送信部１１は、例えば、通信端末３Ａへのコンテンツの送信中において、通信端末３Ａから端末切替要求が送信され、これにより、端末情報検索部１２が端末情報を検索し、当該端末情報が通信端末３Ｂのものなら、通信端末３Ａに送信中のコンテンツの送信先を通信端末３Ｂに切り替えるという機能を有する。
【００１９】
端末情報記憶装置２０に記憶される各端末情報は、例えば、対応する通信端末に備わったコンテンツの再生能力を示すものである。例えば、端末情報は、通信端末のＣＰＵの能力値を含む。
【００２０】
各端末情報は、例えば、対応する通信端末に接続されるアクセス回線の帯域（回線速度ともいう）を示すものである。例えば、端末情報は、ＡＤＳＬ回線（アクセス回線）の帯域を示す。
【００２１】
各端末情報は、例えば、対応する通信端末が使用される場所を示す位置情報を含むものである。例えば、位置情報は、通信端末のグローバルＩＰアドレスである。
【００２２】
（実施例１）
図２は、コンテンツ送信システム１の実施例１に関する動作を示すシーケンス図である。
【００２３】
コンテンツ送信装置１０のコンテンツ送信部１１は、例えば、スマートフォンである通信端末３Ａにコンテンツを送信する（Ｓ１）。
【００２４】
通信端末３Ａのユーザは、コンテンツの送信先を、例えば、テレビジョン受像機を兼ねる通信端末３Ｂに切り替えたい場合、通信端末３Ａを操作し、これにより、通信端末３Ａは、端末切替要求をコンテンツ送信部１１に送信する（Ｓ３）。
【００２５】
コンテンツ送信部１１は、端末切替要求を受信すると（Ｓ３）、端末情報検索部１２に対し、ステップＳ１で送信中のコンテンツの送信に関する条件を示す端末検索要求を送信する（Ｓ５）。
【００２６】
端末検索要求により示される条件は、例えば、送信中のコンテンツの再生に必要な再生能力である必要再生能力を示すものである。例えば、端末検索要求は、コンテンツの再生に必要なＣＰＵの能力値を含む。
【００２７】
端末検索要求により示される条件は、例えば、送信中のコンテンツの送信に必要な帯域を示すものである。例えば、端末検索要求は、光回線（アクセス回線）で送信されるコンテンツの送信に必要な帯域を示す。
【００２８】
端末検索要求により示される条件は、例えば、送信中のコンテンツの送信先である通信端末が使用される場所を示す位置情報を含むものである。例えば、位置情報は、通信端末のグローバルＩＰアドレスである。
【００２９】
端末情報検索部１２は、端末情報記憶装置２０に記憶された端末情報であり且つ当該端末検索要求に示された条件を満たす端末情報を検索し、これを端末情報記憶装置２０から通信により取得する（Ｓ７）。
【００３０】
端末情報検索部１２は、例えば、端末検索要求に示された必要再生能力以上の再生能力を示す端末情報を検索する。端末情報検索部１２は、例えば、端末検索要求に含まれるＣＰＵの能力値以上の能力値を含む端末情報を検索する。
【００３１】
端末情報検索部１２は、例えば、端末検索要求に示された帯域未満の帯域を示す端末情報を検索対象から除外する。例えば、端末検索要求では、光回線（アクセス回線）で送信されるコンテンツの送信に必要な帯域が示され、端末情報では、ＡＤＳＬ回線（アクセス回線）の帯域が示され、後者の帯域が、前者の帯域未満である場合は、端末情報は検索対象から除外される。よって、光回線（アクセス回線）で送信中のコンテンツの切替先またはその候補として、ＡＤＳＬ回線（アクセス回線）に接続された通信端末が選択されるのを防止することができる。
【００３２】
端末情報検索部１２は、例えば、端末検索要求に含まれた位置情報（例えば、グローバルＩＰアドレス）により示される場所の近くの場所を示す位置情報（例えば、グローバルＩＰアドレス）を含む端末情報を検索する。
【００３３】
例えば、端末情報検索部１２は、各通信端末のグローバルＩＰアドレスおよび設置場所を互いに対応づけて記憶しておき、端末検索要求に含まれた位置情報（グローバルＩＰアドレス）に対応づけられた設置場所の近くの設置場所に対応づけられた位置情報（グローバルＩＰアドレス）を含む端末情報を検索する。例えば、送信中のコンテンツの送信先である通信端末が使用される家で使用される別の通信端末を切替先またはその候補として選択することができる。
【００３４】
次に、端末情報検索部１２は、取得した端末情報に対応する通信端末を示す端末検索結果をコンテンツ送信部１１に送信する（Ｓ９）。端末検索結果は、ここでは、当該通信端末の端末名を含むこととする。
【００３５】
コンテンツ送信部１１は、端末検索結果を受信し（Ｓ９）、端末検索結果において通信端末が１つのみ（例えば、通信端末３Ｂのみ）が示されていたなら、通信端末３Ａに送信中のコンテンツの送信を停止するとともに（Ｓ１１）、例えば、端末検索結果に含まれる当該通信端末の端末名（例えば、通信端末３Ｂの端末名）を含む切替先端末通知を作成し、これを通信端末３Ａに送信する（Ｓ１３）。
【００３６】
例えば、通信端末３Ａは、切替先端末通知を受信し（Ｓ１１）、切替先端末通知に含まれた端末名を表示する（Ｓ１５）。これにより、ユーザは、コンテンツの送信先が、例えば、通信端末３Ｂに切り替わるのを知ることができる。
【００３７】
次に、コンテンツ送信部１１は、通信端末３Ａに送信していたコンテンツを、端末検索結果において示された通信端末（例えば、通信端末３Ｂ）に送信する（Ｓ１７）。
【００３８】
つまり、例えば、スマートフォンである通信端末３Ａに送信されていたコンテンツは、テレビジョン受像機を兼ねる通信端末３Ｂに送信され、ユーザは、より大きい画面でコンテンツを見ることができる。
【００３９】
したがって、第１の実施の形態によれば、コンテンツ送信装置１０は、複数の通信端末のいずれにもコンテンツを送信可能であるとともに、送信中のコンテンツの送信先である通信端末から端末切替要求が送信されたら（Ｓ３）、端末情報検索部１２に対し、送信中のコンテンツの送信に関する条件を示す端末検索要求を送信し（Ｓ５）、端末情報検索部１２から、当該コンテンツの送信先を別の通信端末に切り替える場合の切り替え先の通信端末を示す端末検索結果が送信されたなら（Ｓ９）、送信中のコンテンツの送信先を当該端末検索結果により示された通信端末に切り替える（Ｓ１１、Ｓ１７）コンテンツ送信部１１と、端末検索要求が送信されたら（Ｓ５）、端末情報記憶装置２０に記憶された端末情報であり且つ当該端末検索要求に示された条件を満たす端末情報を検索し（Ｓ７）、当該端末情報に対応する通信端末を示す端末検索結果をコンテンツ送信部１１に送信する端末情報検索部１２とを備えることで、送信中のコンテンツの送信先を切り替えることができる。
【００４０】
また、端末情報は、対応する通信端末に備わったコンテンツの再生能力を示すものであり、端末検索要求により示される条件は、送信中のコンテンツの再生に必要な再生能力である必要再生能力を示すものであり、端末情報検索部１２は、端末検索要求に示された必要再生能力以上の再生能力を示す端末情報を検索する（Ｓ７）ので、再生能力不足の通信端末にコンテンツが送信されるのを防止することができる。
【００４１】
また、端末情報は、対応する通信端末に接続されるアクセス回線の帯域を示すものであり、端末検索要求により示される条件は、送信中のコンテンツの送信に必要な帯域を示すものであり、端末情報検索部１２は、端末検索要求に示された帯域未満の帯域を示す端末情報を検索対象から除外するので、帯域不足のアクセス回線に接続された通信端末にコンテンツが送信されるのを防止することができる。
【００４２】
また、端末情報は、対応する通信端末が使用される場所を示す位置情報を含み、端末検索要求により示される条件は、送信中のコンテンツの送信先である通信端末が使用される場所を示す位置情報を含み、端末情報検索部１２は、端末検索要求に含まれた位置情報により示される場所の近くの場所を示す位置情報を含む端末情報を検索するので、例えば、同じ家の通信端末にコンテンツを送信することができる。
【００４３】
（実施例２）
図３は、コンテンツ送信システム１の実施例２に関する動作を示すシーケンス図である。
【００４４】
ステップＳ１〜Ｓ９は、実施例１と同様なので説明を省略する。
【００４５】
コンテンツ送信システム１は、ステップＳ９で受信した端末検索結果において複数の通信端末が示されていたなら、当該複数の通信端末を示す切替先端末候補リストを作成し（Ｓ２１）、切替先端末候補リストを通信端末３Ａに送信する（Ｓ２３）。切替先端末候補リストは、ここでは、各通信端末の端末名（通信端末３Ｂの端末名を含む）を含むこととする。
【００４６】
通信端末３Ａは、切替先端末候補リストを受信し（Ｓ２３）、切替先端末候補リストに含まれた各端末名を表示する。これにより、ユーザは、通信端末３Ｂへの切替を希望していたので、例えば、端末名により通信端末３Ｂを選択し（Ｓ２５）、これにより、通信端末３Ａは、選択された通信端末を示す端末切替通知をコンテンツ送信部１１に送信する（Ｓ２７）。
【００４７】
コンテンツ送信部１１は、端末切替通知を受信し（Ｓ２７）、通信端末３Ａに送信中のコンテンツの送信を停止するとともに（Ｓ２９）、通信端末３Ａに送信していたコンテンツを、端末切替通知において示された通信端末（例えば、通信端末３Ｂ）に送信する（Ｓ３１）。
【００４８】
したがって、第２の実施の形態によれば、コンテンツ送信装置１０は、複数の通信端末のいずれにもコンテンツを送信可能であるとともに、送信中のコンテンツの送信先である通信端末から端末切替要求が送信されたら（Ｓ３）、端末情報検索部１２に対し、送信中のコンテンツの送信に関する条件を示す端末検索要求を送信し（Ｓ５）、端末情報検索部１２から、当該コンテンツの送信先を別の通信端末に切り替える場合の切り替え先の通信端末を示す端末検索結果が送信され（Ｓ９）、端末検索結果において複数の通信端末が示されていたなら、当該複数の通信端末を示す切替先端末候補リストを作成し（Ｓ２１）、切替先端末候補リストを、送信中のコンテンツの送信先である通信端末に送信し（Ｓ２３）、当該通信端末において当該切替先端末候補リストにより示された複数の通信端末の１つが選択され、当該通信端末を示す端末切替通知が送信されたなら（Ｓ２７）、送信中のコンテンツの送信先を当該端末切替通知により示された通信端末に切り替える（Ｓ２９、Ｓ３１）コンテンツ送信部１１と、端末情報記憶装置２０に記憶された端末情報であり且つ当該端末検索要求に示された条件を満たす端末情報を検索し（Ｓ７）、当該端末情報に対応する通信端末を示す端末検索結果をコンテンツ送信部１１に送信する端末情報検索部１２とを備えることで、送信中のコンテンツの送信先を、切替先端末候補リストにより示された複数の通信端末からユーザの希望などにより選択される通信端末に切り替えることができる。
【００４９】
なお、コンテンツ送信装置１０としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００５０】
１  コンテンツ送信システム
１０  コンテンツ送信装置
２０  端末情報記憶装置
１１  コンテンツ送信部
１２  端末情報検索部
３Ａ、３Ｂ  通信端末
４Ａ、４Ｂ  アクセス回線
【図１】
2013235319.tif 000003
【図２】
2013235319.tif 000004
【図３】
2013235319.tif 000005